(57)【要約】      （修正有）【課題】屋外で洗濯物を干すことが環境的に難しい場合に適用するに好適な物干し装置を提供する。【解決手段】引違いサッシＡの内障子２の相対する縦框の、ガラスパネル４より突出する屋内部側に、基部材と、該基部材６ｂに前記ガラスパネル４に対して自在に起伏する方向に組付けた、ハンガー用ポール１０の支持部片６ｂとで成る移動ブラケット６の案内路５を縦設する。該案内路５上に移動ブラケット６の前記基部材を支持させる受支部７を設ける。また、前記ハンガー用ポール１０と、該ハンガー用ポール１０を前記起立時にかけ渡す前記支持部片６ｂの収納用の蓋付格納室９を、前記内障子２の下框に前記案内路５に連通させて設ける。【選択図】図２
2008023151.tif 000002
【特許請求の範囲】
【請求項１】
スライディングサッシの障子の相対する縦框の、ガラスパネルより突出する屋内部側に、基部材と、該基部材に前記ガラスパネルに対して自在に起伏する方向に組付けた、ハンガー用ポールの支持部片とで成る移動ブラケットの案内路を縦設し、該案内路上に移動ブラケットの前記基部材を支持させる受支部を設けると共に、前記ハンガー用ポールと、該ハンガー用ポールを前記起立時にかけ渡す前記支持部片の収納用の蓋付格納室を、前記障子の下框に前記案内路に連通させて設けた、物干し装置。
【発明の詳細な説明】
【技術分野】
【０００１】
本発明は、洗濯物を干すために適用する物干し装置に関するものである。
【背景技術】
【０００２】
様々な生活環境の中、屋外で洗濯物を干すことが状況的に困難で、屋（室）内干し（簡易的に吊るす）する場合は、ハンガーを窓際に存するカーテンレールに掛けたり、別途用意したハンガーホルダーを窓枠に止着してこれにハンガーを掛けるようにしたりしている（例えば、特許文献１）。
【０００３】
【特許文献１】特開２００３−７１１９６号公報
【発明の開示】
【発明が解決しようとする課題】
【０００４】
従来中、カーテンレールを利用するものは、そもそもが使用目的の異なるカーテンレールにハンガーを掛けようとするため見栄えが良好とはいえず、当該カーテンレール自体ハンガーを掛止できる構造を要し、従って、カーテンレールを利用した屋内干しが不可能な場合がある。
【０００５】
また、後者の場合は、ハンガーホルダーを窓枠や、窓枠でないとしても壁面に止着する必要があり、従って、窓枠等に損傷を与えなければならないし、当該ハンガーホルダーは屋内に露出した状態のままであるので外観体裁が良好とはいえない。
【０００６】
本発明は、屋外で洗濯物を干すことが環境的に難しい場合に提供するに好適な物干し装置を提供することを目的として創案したものである。
【課題を解決するための手段】
【０００７】
スライディングサッシの障子の相対する縦框の、ガラスパネルより突出する屋内部側に、基部材と、該基部材に前記ガラスパネルに対して自在に起伏する方向に組付けた、ハンガー用ポールの支持部片とで成る移動ブラケットの案内路を縦設し、該案内路上に移動ブラケットの前記基部材を支持させる受支部を設けると共に、前記ハンガー用ポールと、該ハンガー用ポールを前記起立時にかけ渡す前記支持部片の収納用の蓋付格納室を、前記障子の下框に前記案内路に連通させて設けた構成としたものである。
【発明の効果】
【０００８】
本発明によれば、いわば、物干し場を採光或いは換気のために用いるスライディングサッシを利用して屋内に得ることができ、スライディングサッシの障子のみを利用するものであるから、サッシとしての本来の機能である採光が損われることもない。また、洗濯物はガラスパネルと屋内外方向に重なり合う位置に配置されることになるから、陽光を浴びるに好適で、従って、洗濯物を効率的に乾燥させることができる。
【実施例】
【０００９】
図面は、本発明に係る物干し装置の一実施例を示し、図１は一部欠截正面図、図２は拡大縦断面図、図３は拡大横断面図である。
【００１０】
図中、Ａは本発明の物干し装置を適用した、スライディングサッシの一つである引き違いサッシで、引き違いサッシＡは、窓枠１に内外の障子２，２´を引違い自在に組付けて構成したもので、この引違いサッシＡを構成する前記内障子２の相対する縦框３Ａ，３Ｂの障子ガラスパネル４より屋内側に突出する屋内部３Ａ´，３Ｂ´にたて溝より成る案内路５，５を相対して縦設し、該案内路５，５のそれぞれに、基部材６ａと該基部材６ａに前記ガラスパネル４に対して起伏自在に組付けた支持部片６ｂより成る移動ブラケット６の前記基部材６ａを上下移動自在に摺嵌し、案内路５の奥壁部５ａに上下に並べて段階的に設けた受支部７，…の適宜のものに自在に受支させられるようにしてある。
【００１１】
前記案内路５は、前記内障子２を構成する下框８に設けた、屋内面側開口の格納室９と連通し、基部材６ａに起伏自在に組付けた支持部片６ｂを、ガラスパネル４に対して倒伏する（重なり合う）方向にしたとき、この格納室９内に収納できるようにしてある。
【００１２】
格納室９は、前記支持部片６ｂの収納部９ａと該支持部片６ｂ，６ｂ間にわたして受支させるハンガー用ポール１０の収納部９ｂを備え、該格納室９内に前記支持部片６ｂとポール１０を収納した状態で屋内面側の開口部を蓋枠１１で閉塞できるようにしてあり、蓋枠１１によって支持部片６ｂ等の収納状態を被うため外観体裁が良好となる。
【００１３】
前記移動ブラケット６は、前記基部材６ａに対して支持部片６ｂをほぼ直角方向に方向変換可能に組付けて構成し、支持部片６ｂの先端側上縁には前記ハンガー用ポール１０を受支する半円状の凹入縁１２を設けてある。
【００１４】
しかして、蓋枠１１を下框８より取外して基部材６ａに備えた操作摘み１３を操作しながら基部材６ａ（移動ブラケット６）を案内路５に沿って上昇させ、適度の高さ位置に存する受支部７位置で摘み１３から指先を離すと、基部材６ａに内蔵した復帰ばねによって基部材６ａに備えた係止材が当該受支部７に嵌入係止し、移動ブラケット６は所望の高さ位置で定置することになる。
【００１５】
このようにして案内路５，５の移動ブラケット６，６を同じ高さ位置に配した後、各移動ブラケット６の支持部片６ｂを基部材６ａを中心に回動させるようにして前記ガラスパネル４に対して起立方向に、すなわち、屋内に向けて突出する方向に配し、収納部９ｂからハンガー用ポール１０を取り出して支持部片６ｂ，６ｂ間に凹入縁１２を利用してかけ渡すことにより洗濯物を干せる状態を得られ、物干し作業をしないときは、各部材を原状位置に戻すことにより通常の引違いサッシ状態を得られるのである。
【００１６】
尚、本発明に係る物干し装置は、内障子ばかりでなく外障子や、内外障子両方を利用するものであっても良く、内動・外動の片引きサッシの障子を利用しても良い。
【図面の簡単な説明】
【００１７】
【図１】一部欠截正面図。
【図２】拡大縦断面図。
【図３】拡大横断面図。
【符号の説明】
【００１８】
Ａ          引違いサッシ
２          内障子
３Ａ，３Ｂ  縦框
４          ガラスパネル
５          案内路
６          移動ブラケット
６ａ        基部材
６ｂ        支持部片
７          受支部
８          下框
９          格納室
１０        ハンガー用ポール
【図１】
2008023151.tif 000003
【図２】
2008023151.tif 000004
【図３】
2008023151.tif 000005